(57)【要約】【課題】製造コストを抑えつつ電波の通信状態を良好にすることができる電子機器を提供する。【解決手段】電子機器１００は、無線ＬＡＮモジュール１１０、第１取付部１２０、第２取付部１３０、制御部１４０および表示パネル１５０を備える。無線ＬＡＮモジュール１１０は、無線ＬＡＮアクセスポイント２００との間で電波を送受信する。第１取付部１２０は、電子機器１００の内部に配され、無線ＬＡＮモジュール１１０が取り付けられる。第２取付部１３０は、電子機器１００の内部において第１取付部１２０とは異なる場所に配され、無線ＬＡＮモジュール１１０が取り付けられる。制御部１４０は、第１取付部１２０または第２取付部１３０に取り付けられた無線ＬＡＮモジュール１１０による電波の送受信感度を測定する。表示パネル１５０は、制御部１４０による測定結果に基づいて電波の送受信感度を表示する。【選択図】図３
2013219713.tif 000002
【特許請求の範囲】
【請求項１】
外部機器との間で無線ＬＡＮシステムを構築する電子機器であって、
前記外部機器との間で電波を送受信する無線ＬＡＮモジュールと、
前記電子機器の内部に配され、前記無線ＬＡＮモジュールが取り付けられる第１取付部と、
前記電子機器の内部において前記第１取付部とは異なる場所に配され、前記無線ＬＡＮモジュールが取り付けられる第２取付部と、
前記第１取付部または前記第２取付部に取り付けられた前記無線ＬＡＮモジュールによる電波の送受信感度を測定する制御部と、
前記制御部による測定結果に基づいて前記電波の送受信感度を表示する表示パネルと、
を備える電子機器。
【請求項２】
前記制御部は、前記第１取付部または前記第２取付部に取り付けられた前記無線ＬＡＮモジュールによる電波の通信速度を測定し、
前記表示パネルは、前記制御部による測定結果に基づいて前記電波の通信速度を表示する
請求項１に記載の電子機器。
【請求項３】
前記制御部は、前記電波の通信速度を複数回測定して、前記電波の通信速度の平均値を算出し、
前記表示パネルは、前記制御部による算出結果に基づいて前記電波の通信速度の平均値を表示する
請求項２に記載の電子機器。
【請求項４】
前記第１取付部および前記第２取付部は、前記電子機器の背面の外装に配され、
前記無線ＬＡＮモジュールと前記第１取付部または前記第２取付部とは、磁力によって吸着する
請求項１〜３のいずれか１項に記載の電子機器。
【請求項５】
前記無線ＬＡＮモジュールの配線経路は、単一経路から構成され、
前記無線ＬＡＮモジュールは、コネクタを介して接続され、
前記第１取付部は、前記配線経路の終端に配され、
前記第２取付部は、前記コネクタの近傍に配される
請求項１〜４のいずれか１項に記載の電子機器。
【発明の詳細な説明】
【技術分野】
【０００１】
本発明は、無線ＬＡＮモジュールを複数個所に取り付け可能な電子機器に関する。
【背景技術】
【０００２】
オフィス内におけるネットワークの普及に伴い、コンピュータやプリンタ等の各端末間の配線設備の整理や、端末の移動に伴う再配線作業の簡略化のために、無線ＬＡＮや無線プリンタバッファ等の構内無線システムの需要が高まってきている。
【０００３】
このような無線システムにおいて、無線ＬＡＮモジュールによって電波を適切に送受信するために、複数のアンテナを設けた電子機器が開示されている（例えば、特許文献１参照。）。
【先行技術文献】
【特許文献】
【０００４】
【特許文献１】特開２００４−２８２４７６号公報
【発明の概要】
【発明が解決しようとする課題】
【０００５】
しかしながら、特許文献１に開示された電子機器は、複数のアンテナを備えるため、無線ＬＡＮモジュールによる電波の通信状態は良いものの、製造コストが増大するといった問題があった。
【０００６】
そこで、本発明の目的は、上記課題に鑑み、製造コストを抑えつつ電波の通信状態を良好にすることができる電子機器を提供することにある。
【課題を解決するための手段】
【０００７】
本発明に係る電子機器は、外部機器との間で無線ＬＡＮシステムを構築する。また、本発明に係る電子機器は、無線ＬＡＮモジュール、第１取付部、第２取付部、制御部および表示パネルを備える。
【０００８】
無線ＬＡＮモジュールは、外部機器との間で電波を送受信する。第１取付部は、電子機器の内部に配され、無線ＬＡＮモジュールが取り付けられる。第２取付部は、電子機器の内部において第１取付部とは異なる場所に配され、無線ＬＡＮモジュールが取り付けられる。制御部は、第１取付部または第２取付部に取り付けられた無線ＬＡＮモジュールによる電波の送受信感度を測定する。表示パネルは、制御部による測定結果に基づいて電波の送受信感度を表示する。
【０００９】
この構成では、第１取付部および第２取付部が電子機器の内部に配されるため、これらに取り付けられる無線ＬＡＮモジュールも電子機器の内部に配されることになる。したがって、電子機器の美的外観を損ねることがない。
【００１０】
また、この構成では、サービスマンは、複数の取付部に無線ＬＡＮモジュールを順次取り付けして、電波の送受信感度を確認することで、複数の取付部の中で最適な取付部を知ることができる。したがって、サービスマンは、最適な取付部に無線ＬＡＮモジュールを取り付けることで、電波の通信状態が最も大きな状態を容易に構築することができる。
【発明の効果】
【００１１】
本発明に係る電子機器は、製造コストを抑えつつ電波の通信状態を良好にすることができる。
【図面の簡単な説明】
【００１２】
【図１】本発明の第１実施形態に係る電子機器の外観を示す斜視図である。
【図２】電子機器の基板を示す正面図である。
【図３】電子機器の構成を示すブロック図である。
【図４】表示パネルの表示内容を示す図である。
【図５】制御部の制御内容を示すフローチャートである。
【図６】本発明の第２実施形態に係る電子機器の制御部の制御内容を示すフローチャートである。
【図７】表示パネルの表示内容を示す図である。
【図８】本発明の第３実施形態に係る電子機器の制御部の制御内容を示すフローチャートである。
【図９】表示パネルの表示内容を示す図である。
【図１０】本発明の第４実施形態に係る電子機器の外観を示す斜視図である。
【図１１】本発明の第５実施形態に係る電子機器の基板を示す正面図である。
【図１２】本発明の第５実施形態に係る電子機器の基板を示す正面図である。
【発明を実施するための形態】
【００１３】
以下、本発明の実施形態に係る電子機器を、図面を参照しつつ詳細に説明する。
【００１４】
最初に、本発明の第１実施形態について説明する。
【００１５】
図１は、本発明の第１実施形態に係る電子機器１００の外観を示す斜視図である。図２は、電子機器１００の基板１２５を示す正面図である。図３は、電子機器１００の構成を示すブロック図である。
【００１６】
電子機器１００は、無線ＬＡＮアクセスポイント２００等の外部機器との間で無線ＬＡＮシステムを構築する。また、電子機器１００は、無線ＬＡＮモジュール１１０、第１取付部１２０、第２取付部１３０、制御部１４０および表示パネル１５０を備える。
【００１７】
無線ＬＡＮモジュール１１０は、無線ＬＡＮアクセスポイント２００との間で電波を送受信する。また、無線ＬＡＮモジュール１１０は、制御部１４０に内蔵された電源から電力が供給されている。さらに、無線ＬＡＮモジュール１１０は、電波を送受信するアンテナを内蔵しているため、電子機器１００において別途アンテナを配置する必要がない。
【００１８】
第１取付部１２０は、電子機器１００の内部に配され、無線ＬＡＮモジュール１１０が取り付けられる。電子機器１００の内部に配されるとは、具体的には、基板１２５に配されることである。
【００１９】
第２取付部１３０は、電子機器１００の内部において第１取付部１２０とは異なる場所に配され、無線ＬＡＮモジュール１１０が取り付けられる。第２取付部１３０も、第１取付部１２０と同様に、基板１２５に配される。
【００２０】
制御部１４０は、第１取付部１２０または第２取付部１３０に取り付けられた無線ＬＡＮモジュール１１０による電波の送受信感度を測定する。制御部１４０は、上述のように電源を内蔵しており、無線ＬＡＮモジュール１１０に電力を供給している。
【００２１】
制御部１４０は、ＣＰＵ１４１、ＲＯＭ１４２およびＲＡＭ１４３を有する。ＣＰＵ１４１は、ＲＯＭ１４２に格納された制御プログラムを読みだして実行し、電子機器１００の各部を総括的に制御する。ＲＯＭ１４２は、ＣＰＵ１４１に順次読みだされる制御プログラムを格納する。ＲＡＭ１４３は、ＣＰＵ１４１のワーキングエリアとして活用される。
【００２２】
表示パネル１５０は、制御部１４０による測定結果に基づいて無線ＬＡＮモジュール１１０による電波の送受信感度を表示する。表示パネル１５０は、電子機器１００の上面に配される。表示パネル１５０の表示内容を図４に示す。
【００２３】
図５は、制御部１４０の制御内容を示すフローチャートである。
【００２４】
このフローチャートでは、第１取付部１２０、第２取付部１３０、・・・および第Ｎ取付部があるとして説明する。このフローチャートの説明で記載されたｎについては、
ｎ＝１，２，・・・，Ｎ
とする。すなわち、取付部は、２か所以上であれば、何か所であってもよい。
【００２５】
制御部１４０は、ダイアグモードが選択されるまで待機する（Ｓ１０のＮ）。制御部１４０は、ダイアグモードが選択されたと判断すると（Ｓ１０のＹ）、ｎ＝１とする（Ｓ１５）。次に、制御部１４０は、第ｎ取付部に無線ＬＡＮモジュール１１０を取り付けるように表示パネル１５０に表示する（Ｓ２０）。
【００２６】
そして、制御部１４０は、第ｎ取付部に無線ＬＡＮモジュール１１０が取り付けられるまで待機する（Ｓ２５のＮ）。制御部１４０は、第ｎ取付部に無線ＬＡＮモジュール１１０が取り付けられたと判断すると（Ｓ２５のＹ）、無線ＬＡＮモジュール１１０による電波の送受信感度を測定し（Ｓ３０）、この測定結果を保存する（Ｓ３５）。
【００２７】
次に、制御部１４０は、ｎ＝Ｎとなったか否かを判断する（Ｓ４０）。制御部１４０は、ｎ＝Ｎとなっていないと判断すると（Ｓ４０のＮ）、ｎ＝ｎ＋１として（Ｓ４５）、Ｓ２０の制御に戻る。制御部１４０は、ｎ＝Ｎとなったと判断すると（Ｓ４０のＹ）、Ｓ３５で保存した電波の送受信感度の測定結果を読みだし、この測定結果を表示パネル１５０に表示し（Ｓ５０）、本実施形態の制御を終了する。
【００２８】
本実施形態の構成では、第１取付部１２０および第２取付部１３０が電子機器１００の内部に配されるため、これらに取り付けられる無線ＬＡＮモジュール１１０も電子機器１００の内部に配されることになる。したがって、電子機器１００の美的外観を損ねることがない。
【００２９】
また、本実施形態の構成では、サービスマンは、複数の取付部に無線ＬＡＮモジュール１１０を順次取り付けして、電波の送受信感度を確認することで、複数の取付部の中で最適な取付部を知ることができる。したがって、サービスマンは、最適な取付部に無線ＬＡＮモジュール１１０を取り付けることで、電波の通信状態が最も大きな状態を容易に構築することができる。
【００３０】
次に、本発明の第２実施形態について説明する。本実施形態以降の各実施形態においては、第１実施形態と重複する部分の説明は適宜省略する。
【００３１】
図６は、本発明の第２実施形態に係る電子機器１００の制御部１４０の制御内容を示すフローチャートである。
【００３２】
制御部１４０は、第１取付部１２０または第２取付部１３０に取り付けられた無線ＬＡＮモジュール１１０による電波の通信速度を測定すると好ましい。また、表示パネル１５０は、制御部１４０による測定結果に基づいて電波の通信速度を表示すると好ましい。
【００３３】
制御部１４０は、ダイアグモードが選択されるまで待機する（Ｓ１１０のＮ）。制御部１４０は、ダイアグモードが選択されたと判断すると（Ｓ１１０のＹ）、ｎ＝１とする（Ｓ１１５）。次に、制御部１４０は、第ｎ取付部に無線ＬＡＮモジュール１１０を取り付けるように表示パネル１５０に表示する（Ｓ１２０）。
【００３４】
そして、制御部１４０は、第ｎ取付部に無線ＬＡＮモジュール１１０が取り付けられるまで待機する（Ｓ１２５のＮ）。制御部１４０は、第ｎ取付部に無線ＬＡＮモジュール１１０が取り付けられたと判断すると（Ｓ１２５のＹ）、無線ＬＡＮモジュール１１０による電波の送受信感度を測定するとともに（Ｓ１３０）、無線ＬＡＮモジュール１１０による電波の通信速度を測定し（Ｓ１３５）、これらの測定結果を保存する（Ｓ１４０）。
【００３５】
次に、制御部１４０は、ｎ＝Ｎとなったか否かを判断する（Ｓ１４５）。制御部１４０は、ｎ＝Ｎとなっていないと判断すると（Ｓ１４５のＮ）、ｎ＝ｎ＋１として（Ｓ１５０）、Ｓ１２０の制御に戻る。制御部１４０は、ｎ＝Ｎとなったと判断すると（Ｓ１４５のＹ）、Ｓ１４０で保存した電波の送受信感度および電波の通信速度の測定結果を読みだし、この測定結果を表示パネル１５０に表示し（Ｓ１５５）、本実施形態の制御を終了する。Ｓ１５５における表示パネル１５０の表示内容を図７に示す。
【００３６】
電波の受信レベルと電波の通信速度とは、ある程度の相関関係があるが、電波の受信レベルが強であっても、電波の通信速度が必ずしも速いとは限らない。
【００３７】
そこで、本実施形態の構成では、サービスマンは、複数の取付部に無線ＬＡＮモジュール１１０を順次取り付けして、電波の送受信感度および電波の通信速度を確認することで、複数の取付部の中で最適な取付部をより確実に知ることができる。したがって、サービスマンは、最適な取付部に無線ＬＡＮモジュール１１０を取り付けることで、電波の通信状態が最も大きな状態をより容易に構築することができる。
【００３８】
次に、本発明の第３実施形態について説明する。
【００３９】
図８は、本発明の第３実施形態に係る電子機器１００の制御部１４０の制御内容を示すフローチャートである。
【００４０】
制御部１４０は、電波の通信速度を複数回測定して、電波の通信速度の平均値を算出すると好ましい。また、表示パネル１５０は、制御部１４０による算出結果に基づいて電波の通信速度の平均値を表示すると好ましい。
【００４１】
制御部１４０は、ダイアグモードが選択されるまで待機する（Ｓ２１０のＮ）。制御部１４０は、ダイアグモードが選択されたと判断すると（Ｓ２１０のＹ）、ｎ＝１とする（Ｓ２１５）。次に、制御部１４０は、第ｎ取付部に無線ＬＡＮモジュール１１０を取り付けるように表示パネル１５０に表示する（Ｓ２２０）。
【００４２】
そして、制御部１４０は、第ｎ取付部に無線ＬＡＮモジュール１１０が取り付けられるまで待機する（Ｓ２２５のＮ）。制御部１４０は、第ｎ取付部に無線ＬＡＮモジュール１１０が取り付けられたと判断すると（Ｓ２２５のＹ）、無線ＬＡＮモジュール１１０による電波の送受信感度を測定するとともに（Ｓ２３０）、無線ＬＡＮモジュール１１０による電波の通信速度を複数回測定し（Ｓ２３５）、当該電波の通信速度の平均値を算出する（Ｓ２４０）。そして、制御部１４０は、無線ＬＡＮモジュール１１０による電波の送受信感度の測定結果および当該電波の通信速度の平均値の算出結果を保存する（Ｓ２４５）。
【００４３】
次に、制御部１４０は、ｎ＝Ｎとなったか否かを判断する（Ｓ２５０）。制御部１４０は、ｎ＝Ｎとなっていないと判断すると（Ｓ２５０のＮ）、ｎ＝ｎ＋１として（Ｓ２５５）、Ｓ２２０の制御に戻る。制御部１４０は、ｎ＝Ｎとなったと判断すると（Ｓ２５０のＹ）、Ｓ２４５で保存した電波の送受信感度および電波の通信速度の平均値の算出結果を読みだし、この測定結果および算出結果を表示パネル１５０に表示し（Ｓ２６０）、本実施形態の制御を終了する。Ｓ２６０における表示パネル１５０の表示内容を図９に示す。
【００４４】
電波の通信速度は、変化しやすい項目である。したがって、電波の通信速度については、複数回測定すると、より正確な値を知ることができる。
【００４５】
そこで、本実施形態の構成では、サービスマンは、複数の取付部に無線ＬＡＮモジュール１１０を順次取り付けして、電波の送受信感度および電波の通信速度の平均値を確認することで、複数の取付部の中で最適な取付部をさらに確実に知ることができる。したがって、サービスマンは、最適な取付部に無線ＬＡＮモジュール１１０を取り付けることで、電波の通信状態が最も大きな状態をさらに容易に構築することができる。
【００４６】
次に、本発明の第４実施形態について説明する。
【００４７】
図１０は、本発明の第４実施形態に係る電子機器１００の外観を示す斜視図である。
【００４８】
基板１２５は、電子機器１００の背面の外装に配されると好ましい。すなわち、基板１２５に配される第１取付部１２０および第２取付部１３０は、電子機器１００の背面の外装に配されると好ましい。また、無線ＬＡＮモジュール１１０と第１取付部１２０または第２取付部１３０とは、磁力によって吸着すると好ましい。
【００４９】
本実施形態の構成では、第１取付部１２０および第２取付部１３０が電子機器１００の背面の外装に配されているため、電子機器１００の背面の外装を開放するだけで無線ＬＡＮモジュール１１０を取り付けることができる。したがって、サービスマンだけではなくユーザによっても、無線ＬＡＮモジュール１１０の電波の通信状態が最も大きな状態を容易に構築することができる。
【００５０】
また、本実施形態の構成では、無線ＬＡＮモジュール１１０と第１取付部１２０または第２取付部１３０とが磁力によって吸着するため、サービスマンおよびユーザは、無線ＬＡＮモジュール１１０と第１取付部１２０または第２取付部１３０とを容易に取り付けることができる。
【００５１】
次に、本発明の第５実施形態について説明する。
【００５２】
図１１および図１２は、本発明の第５実施形態に係る電子機器１００の基板１２５を示す正面図である。
【００５３】
無線ＬＡＮモジュール１１０の配線経路は、単一経路から構成されると好ましい。すなわち、無線ＬＡＮモジュール１１０の配線は、基板１２５に固定されると好ましい。また、無線ＬＡＮモジュール１１０は、コネクタ１６０を介して接続されると好ましい。さらに、第１取付部１２０は、無線ＬＡＮモジュール１１０の配線経路の終端に配され、第２取付部１３０は、コネクタ１６０の近傍に配されると好ましい。
【００５４】
本実施形態の構成では、無線ＬＡＮモジュール１１０を第１取付部１２０または第２取付部１３０に取り付ける際に、無線ＬＡＮモジュール１１０の配線を動かす必要がないため、基板１２５に各構成要素を配するスペースを確保することができる。
【００５５】
また、本実施形態の構成では、無線ＬＡＮモジュール１１０を第１取付部１２０または第２取付部１３０に取り付ける際に、コネクタ１６０において無線ＬＡＮモジュール１１０を着脱可能であるため、無線ＬＡＮモジュール１１０の取扱いが容易である。
【００５６】
なお、これまで、第１実施形態から第５実施形態について説明したが、これらの実施形態を任意に組み合わせてもよい。
【００５７】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００５８】
１００−電子機器
１１０−無線ＬＡＮモジュール
１２０−第１取付部
１３０−第２取付部
１４０−制御部
１５０−表示パネル
１６０−コネクタ
２００−無線ＬＡＮアクセスポイント
【図１】
2013219713.tif 000003
【図２】
2013219713.tif 000004
【図３】
2013219713.tif 000005
【図４】
2013219713.tif 000006
【図５】
2013219713.tif 000007
【図６】
2013219713.tif 000008
【図７】
2013219713.tif 000009
【図８】
2013219713.tif 000010
【図９】
2013219713.tif 000011
【図１０】
2013219713.tif 000012
【図１１】
2013219713.tif 000013
【図１２】
2013219713.tif 000014